【手続補正書】
【提出日】平成15年9月12日(2003.9.12)
【手続補正１】
【補正対象書類名】明細書
【補正対象項目名】００１６
【補正方法】変更
【補正の内容】
【００１６】
図２に示す画像入力装置（以下、入力装置とする）１２は、長尺なネガフィルムもしくはリバーサルフィルムであり多数の画像が撮影されているストリップスや、通常は１枚のリバーサルフィルムを枠体（マウント）に固定してなるスライドなどの種類やサイズの異なるフィルムををフィルム原稿として、これらのフィルム原稿に撮影された画像を光電的に読み取る装置であって、基本的に、光学フレーム１３、光源部２４、キャリアベース２６、ズームレンズが組み込まれた結像部２８、エリアセンサであるイメージセンサ３０およびキャリアベース２６に互いに交換自在に装着されるフィルムキャリア３２、スライドキャリア３４（図３参照）およびトリミングキャリア１６０（図４〜６参照）などのキャリアを有する。
この入力装置１２においては、キャリアベース２６に装着されたフィルムキャリア３２またはスライドキャリア３４によって、図中矢印ｘ方向にストリップスＡまたはスライドＢを搬送して読取位置Ｚで停止し、光源部２４からの光をフィルム原稿画像に照射して、フィルム原稿に撮影された画像を担持する投影光を得、結像部２８において投影光をイメージセンサ３０に結像し、イメージセンサ３０において光電変換して画像信号を得ることにより、フィルム原稿に撮影された画像を画像信号として二次元的に読み取る。なお、このような入力装置１２の制御は、後述する制御装置１４の入力制御部７０（図７参照）によって行われる。


【手続補正２】
【補正対象書類名】明細書
【補正対象項目名】００３０
【補正方法】変更
【補正の内容】
【００３０】
規制部材１７８，１７８は、開口１７６を短手側辺で挟んで、この短手辺と同方向に延在する略四角柱状のガイド部材であり、スライドＢの対向する端面の位置を規定する。従って、規制部材１７８の間隔は、装着が予想される最大サイズのスライドＢに応じて設定される。
一方、当接部１８０，１８０は、スライド保持板１６６の上面の奥手側端面近傍に配置される突起で、規制部材１７８が規制する端面と直交する端面を規制する。
すなわち、スライドＢは、規制部材１７８，１７８の間に挿入されて、当接部１８０，１８０に当接するまで矢印ｙ方向に挿入され、その画像面全面が開口１７６上になるように位置を規定される。
押圧部材１８２は、上下方向（図５紙面に垂直方向）に回動自在に規制部材１７８の内側面に軸支され、かつ当接部１８０側の端部がスライド保持板１６６の上面に当接してこれを押圧するように下方に付勢されている。従って、規制部材１７８間に挿入されたスライドＢは、この押圧部材１８２によってスライド保持板１６６に押圧・保持される。


【手続補正３】
【補正対象書類名】明細書
【補正対象項目名】００３７
【補正方法】変更
【補正の内容】
【００３７】
イメージセンサ３０からの信号は、制御装置１４に出力される。
制御装置１４は、図１に示すように、画像入力装置１２の各部および全体ならびに本発明のデジタルプリント装置１０の制御を行う制御部７０と、入力装置１２のイメージセンサ３０からの出力信号を受け、所定の信号処理を施して入力画像信号とする信号処理装置７２と、得られた画像信号に所要、もしくは所望の画像処理を施して画像出力装置１６に出力画像信号として出力する画像処理装置７４とを有する。
制御部７０は、信号処理装置７２の信号処理演算の制御のみならず、入力装置１２の各部および全体の制御を行い、かつ本発明法におけるズームレンズによる光学倍率および画像処理による電子倍率の設定と調整、ならびに必要に応じて読取画素密度の切り換えによるイメージセンサ変換倍率の切り換えを実施するＣＰＵ７６と、読取光学倍率情報、ズームレンズ移動量情報、イメージセンサ情報、キャリア情報、出力画素密度、プリントサイズ、マガジン情報、出力けられ余裕量、入出力画素欠損などを記憶するメモリ７８と、イメージセンサ３０（以下ＣＣＤと略称する）によって読み取られた得られた画像を用いて自動焦点調整を行う自動焦点調整手段８０、画像回転手段８２、ネガ／ポジ変換手段８４などとを有する。また、制御部７０には、入力装置１２の操作や読取光学倍率やプリント倍率やイメージセンサ変換倍率（画素ずらしの有無）などの読取条件の設定、プリントサイズ（出力画像のサイズ）や主被写体の設定、色／濃度補正等の操作指示、入力を行うキーボード２２ａおよびマウス２２ｂ、ＣＣＤ３０で読み取った画像およびプリントの仕上り領域を示す基準線を表示するモニタ１８等が接続される。


【手続補正４】
【補正対象書類名】明細書
【補正対象項目名】００７０
【補正方法】変更
【補正の内容】
【００７０】
また、入力画素領域の決定においては、予め設定されているイメージセンサ３０（以下ＣＣＤと略称する）の有効画素領域（例えば、１３８０画素（主）×９２０画素（副）、画素ずらし機構による４倍化の場合には２７６０画素（主）×１８４０画素（副））に、予め設定されているマスクサイズから求められるマスクの開口領域が内接または内接に近くなるように演算し、信号処理装置７２の本スキャン用のフレームメモリ９１ｂに取り込まれる入力画素領域（画素数）を決定する。
ＣＣＤ有効画素領域のアスペクト比（主副比）がマスク開口領域のアスペクト比（主副比）より大きい場合、
入力画素領域長辺；ＨＩ０＝ＣＣＤ有効画素領域（副）×マスク開口領域の                              アスペクト比＝１３４０画素
短辺；ＶＩ０＝ＣＣＤ有効画素領域（副）＝９２０画素
ＣＣＤ有効画素領域のアスペクト比（主副比）がマスク開口領域のアスペクト比（主副比）より小さい場合、
入力画素領域長辺；ＨＩ０＝ＣＣＤ有効画素領域（主）
短辺；ＶＩ０＝ＣＣＤ有効画素領域（主）÷マスク開口領域の                              アスペクト比


【手続補正５】
【補正対象書類名】明細書
【補正対象項目名】００７２
【補正方法】変更
【補正の内容】
【００７２】
こうして求められた補正出力画素領域をそれぞれ長短辺毎に補正入力画素領域で割り算して、電子倍率を求める。この例では、調整の精度を考慮して、百分率で量子化して、すなわち小数点以下３桁目を切り上げ、両者の大きい方を電子倍率として設定する。
電子倍率  Ｍｅ＝ＭｅＶ＝１．２０（＝１２０％）
長辺；ＭｅＨ＝ＨＩ２÷ＨＩ１＝１．１６（＝１１６％）
短辺；ＭｅＶ＝ＶＩ２÷ＶＩ１＝１．２０（＝１２０％）
この電子倍率Ｍｅを用いて、補正出力画素領域となるように、フレームメモリ９１ｂに格納された入力画素領域から切り出す画素領域（画素数）を計算する（ここでも、切り上げ整数化する）。
1998200693.tif 000001
ついで、出力画素領域の再補正では、こうして得られた切り出し画素領域を用いて、画像出力機１６に送られる出力画素領域を決定する（ここでも、切り上げ整数化する）。
1998200693.tif 000002
【手続補正６】
【補正対象書類名】明細書
【補正対象項目名】符号の説明
【補正方法】変更
【補正の内容】
【符号の説明】
１０  デジタルプリント装置
１２  画像入力装置
１４  制御装置
１６  画像出力機
１８  表示装置（モニタ）
２０  記憶装置
２２  データ入力装置
２４  光源部
２６  キャリベース
２８  結像部
３０  イメージセンサ（ＣＣＤ）
３２  フィルムキャリア
３４  スライドキャリア
６２  ズームレンズユニット
７０  制御部
７２  信号処理装置
７４  画像処理装置
７６  ＣＰＵ
７８  メモリ
９１，９１ａ，９１ｂ  フレームメモリ
９２  表示用画像処理回路
９４  記録用画像処理回路
１６０  トリミングキャリア


【手続補正７】
【補正対象書類名】図面
【補正対象項目名】図７
【補正方法】変更
【補正の内容】
【図７】
1998200693.tif 000003